(57)【要約】      （修正有）【課題】ジョイスティック装置の筺体にケーブルを格納するスペースを設けたジョイスティック装置を提供する。【解決手段】筐体と、ゲーム機本体に接続するためのケーブルと、筐体内にケーブルを収納するためのスペースである収納部と、を有するケーブル収納機能付きジョイスティック装置。また、前記筐体には、前記収納部を開閉するための扉手段を備える。更には、前記扉手段は、扉を閉じた状態においてもケーブルを筐体内部より外部へ導出させる導出穴を備える。【選択図】図１
0003157707.tif 000002
【実用新案登録請求の範囲】
【請求項１】
筐体と、
ゲーム機本体に接続するためのケーブルと、
筐体内にケーブルを収納するためのスペースである収納部と、
を有するケーブル収納機能付きジョイスティック装置。
【請求項２】
前記筐体には、前記収納部を開閉するための扉手段を備える請求項１に記載のケーブル収納機能付きジョイスティック装置。
【請求項３】
前記扉手段は、扉を閉じた状態においてもケーブルを筐体内部より外部へ導出させる導出穴を備える請求項２に記載のケーブル収納機能付きジョイスティック装置。
【請求項４】
ケーブルはその根元が収納部の内部に取り外し不可状態で固定されている請求項１から３のいずれか一に記載のケーブル収納機能付きジョイスティック装置。
【考案の詳細な説明】
【技術分野】
【０００１】
本考案は、ゲーム機と接続するためのケーブルをジョイスティックの筐体内に格納することができるジョイスティックに関する。
【背景技術】
【０００２】
通常、家庭用ゲーム機用ジョイスティックには、ゲーム機と接続するためのケーブルが備えられている。このケーブルはジョイスティックの筐体から導出されており、一般的には１ｍから３ｍ程度の長さである。
【０００３】
ところで、ジョイスティック装置をゲーム機から外してかたづけようとする場合、ケーブルをジョイスティック装置本体に巻きつけるなどをしてかたづけるのが一般的である。
【０００４】
しかしながら、ジョイスティック装置にケーブルを巻きつけるだけでは、持ち運ぶ際にケーブルが緩んでしまうことや、巻き付けたケーブルが他の物品に引っ掛かるなどジョイスティック装置を片づけるのに不都合がある。また、ケーブルを巻きつけることで、ケーブルが引っ張られたり、ケーブルが絡まるなどケーブル自身に負荷をかけてしまうという課題もある。
【先行技術文献】
【特許文献】
【０００５】
【特許文献１】実登２５９９０５４
【考案の概要】
【考案が解決しようとする課題】
【０００６】
そこで、特許文献１に記載の技術が提供されている。具体的には、ゴム材をケーブルに巻きつけることでケーブルを保護する保護カバーが提供されている。
【０００７】
しかしながら、特許文献１に記載の技術はケーブルを保護することはできるが、保護カバーをケーブルに巻き付けただけケーブルが太くなることによって、ジョイスティックに巻きつけた際により嵩張ることとなり片付けづらくなるという課題がある。
【課題を解決するための手段】
【０００８】
そこで、本考案は上記課題を鑑みジョイスティック装置の筐体にケーブルを格納するスペースを設けたジョイスティック装置を提供する。具体的には、以下のようなジョイスティック装置である。
【０００９】
第１考案は、筐体と、ゲーム機本体に接続するためのケーブルと、筐体内にケーブルを収納するためのスペースである収納部と、を有するケーブル収納機能付きジョイスティック装置を提供する。
【００１０】
第２考案は、第１考案を基本として前記筐体には、前記収納部を開閉するための扉手段を備えるケーブル収納機能付きジョイスティック装置を提供する。
【００１１】
第３考案では、第２考案を基本として前記扉手段は、扉を閉じた状態においてもケーブルを筐体内部より外部へ導出させる導出穴を備えるケーブル収納機能付きジョイスティック装置を提供する。
【００１２】
第４考案では、第１考案から第３考案のいずれか一を基本としてケーブルはその根元が収納部の内部に取り外し不可状態で固定されているケーブル収納機能付きジョイスティック装置を提供する。
【考案の効果】
【００１３】
本考案により、ジョイスティック装置に備えられるケーブルを筐体内に収納することが可能となり、ジョイスティック装置を片づける際にケーブルを巻きつけることなく収納することが可能となる。これによりジョイスティック装置を容易に片付けることが可能になると共に、ケーブルへの負荷を軽減することが可能となる。
【図面の簡単な説明】
【００１４】
【図１】実施形態１のジョイスティック装置の概略図
【図２】実施形態１のジョイスティック装置の概略図（ケーブル収納時）
【図３】実施形態１のジョイスティック装置の収納部を説明するための図
【図４】実施形態２のジョイスティック装置の概略図
【図５】実施形態２のジョイスティック装置が扉手段に導出穴を備える場合の概略図
【図６】実施形態２のジョイスティック装置が筐体に導出穴を備える場合の概略図
【考案を実施するための形態】
【００１５】
以下に、図を用いて本考案の実施の形態を説明する。なお、本考案はこれらの実施の形態に何ら限定されるものではなく、その要旨を逸脱しない範囲において、種々なる態様で実施しうる。
【００１６】
実施形態１は主に請求項１、２について主に説明する。また、実施形態２は、主に請求項３、４について説明する。
【００１７】
≪実施形態１≫
【００１８】
<実施形態１  概要>
【００１９】
本実施形態のジョイスティック装置（筐体）（０１０１）は、図１に示すようにジョイスティック装置とゲーム機と接続するための「ケーブル」（０１０２）と、ケーブルを収納するための「収納部」（０１０３）とを備えるジョイスティック装置である。
【００２０】
本実施形態の、ジョイスティック装置は図２に示すように、筐体内に備えられた収納部にジョイスティック装置とゲーム機を接続するためのケーブルを収納できることを特徴としている。
【００２１】
<実施形態１：構成>
【００２２】
≪ジョイスティック装置本体（筐体）≫
【００２３】
「筐体」（０１０１）は、本実施形態のジョイスティック装置における本体である。具体的には、図１に示すようにジョイスティック本体の一面にゲームを操作するためのスティックと各種ボタンが配置されている。また、後に詳述するが、本体にはゲーム機と接続するための「ケーブル」（０１０２）が備えられ、また筐体内部にはケーブルを収納するための「収納部」（０１０３）が備えられている。
【００２４】
≪ケーブル≫
【００２５】
「ケーブル」（０１０２）は、ゲーム機本体に接続するためのケーブルである。具体的には、PlayStation2（登録商標）であれば、デュアルショック（登録商標）対応のケーブルである。また、PlayStation3（登録商標）であれば、デュアルショック３（SIXAXIS）（登録商標）やUSB対応のケーブルである。
【００２６】
≪収納部≫
【００２７】
「収納部」（０１０３）は、筐体内にケーブルを収納するためのスペースである。具体的に本実施形態においては、図３に示すように筐体内に設けられた実線で囲まれた空間である。このように、実線で囲まれた空間に前記「ケーブル」（０１０２）を収納する。なお、「収納部」（０１０３）は、前記「ケーブル」（０１０２）を収納するだけのスペースを有していればよく、その大きさや形状は限定されない。
【００２８】
また、本実施形態における収納部は操作をする側から見て奥側の側面に設けたが、実際にはそれだけに限定されない。具体的には、操作をする側から見て左右側面に設けられてもよいし、下面（底面）に設けられる構成であってもよい。
【００２９】
ここで、本実施形態のジョイスティック装置におけるケーブルは図１に示すように収納部から導出させることが好ましい。なぜなら、このような形態をとることによって図２に示すようにケーブルを収納部に収納する際にケーブルのすべてを収納部に収納することが可能となるためである。
【００３０】
さらに、本実施形態の収納部は、ケーブルを収納するためのスペースを備えた引出を備える構成であってもよい。この場合には、「収納部」が「引出手段」を備える構成が考えられる。これにより、ケーブルを引出にまとめて収納し、引出を収納部に収めることで、ケーブルをより容易に筐体内に収納することが可能となる。
【００３１】
また、本実施形態の収納部は、その収納部にケーブルを巻取るための「リール」を備える構成であってもよい。この場合には、「収納部」が「ケーブル巻取り手段」を備える構成が考えられる。また、本構成が備えられた場合には、筐体に巻取りボタンを配置することでケーブルの巻取りを自動で行う「巻取ボタン」を備える構成であってもよい。
【００３２】
上記の他に、本実施形態の収納部は、ケーブルを収納するだけでなく、その他の物を収納する空間を備えていてもよい。例えば、ジョイスティック装置のジョイスティックシャフトやジョイスティック装置のカバー、取り扱い説明書を収納するための構成を備えていてもよい。この場合には、「収納部」が「ジョイスティックシャフト収納手段」や、「カバー収納手段」、「説明書収納手段」を備える構成が考えられる。
【００３３】
<実施形態１：効果>
【００３４】
本実施形態のジョイスティック装置によって、筐体から導出されるケーブルを収納することが可能となり、ジョイスティック装置を容易に片付けることが可能となる。
【００３５】
<実施形態２：概要>
【００３６】
本実施形態のジョイスティック装置は、実施形態１のジョイスティック装置を基本として、図４に示すように筐体に収納部を開閉するための扉（０４０４）を有することを特徴とするジョイスティック装置である。
【００３７】
<実施形態２：構成>
【００３８】
≪扉手段≫
【００３９】
「扉手段」（０４０４）は、筐体に備えられた収納部を開閉するための扉である。具体的には、図４に示すようにケーブルを収納するための空間である収納部を開閉するための扉である。
【００４０】
ここで、本実施形態における扉は、下側を軸に上側が開閉される扉の例を挙げたが、実際にはそれだけに限定されない。具体的には、下側、右側、左側のいずれかが開閉される扉であってもよい。また、左右若しくは上下に両開きの扉であってもよい。
【００４１】
さらには、本実施形態の扉は取り外し可能な構成であってもよい。具体的には、収納部を閉じるためのはめ込み蓋であってもよいし、収納部の開閉口と蓋にネジ山を切ることによって蓋を回して開閉する蓋であってもよい。
【００４２】
≪導出穴≫
【００４３】
本実施形態のジョイスティック装置は、図５に示すように「扉手段」（０５０４）は扉を閉じた状態においてもケーブルを筐体内部より外部へ導出させる「導出穴」（０５０５）を備える構成であってもよい。これにより、図５に示すように扉を閉じた状態でケーブルを筐体外部へ導出させることが可能となる。
【００４４】
なお、本例では図５に示すように導出穴は扉左下の部分に設ける構成としたが実際にはそれだけに限定されない。例えば、左上であってもよい。また、本実施形態の導出穴は、扉に設ける構成としたが、図６に示すように扉と筐体が接する部分の筐体側に穴を設ける構成であってもよい。
【００４５】
≪効果の簡単な説明≫
【００４６】
本実施形態のジョイスティック装置によって、ジョイスティック装置に備えられるケーブルを筐体内部に収納することが可能となる。これにより、ジョイスティック装置を片づける際などにケーブルを収納部に収納し片づけることが可能となる。
【符号の説明】
【００４７】
０１０１  ジョイスティック装置（筐体）
０１０２  ケーブル
０１０３  収納部
０４０４  扉手段
０５０５  導出穴
【図１】
0003157707.tif 000003
【図２】
0003157707.tif 000004
【図３】
0003157707.tif 000005
【図４】
0003157707.tif 000006
【図５】
0003157707.tif 000007
【図６】
0003157707.tif 000008